(57)【要約】【課題】電線収納用の筒体の入替に際して、筒体の前端側における筒体位置決め用ストッパの移動を小さな力で且つ上方の構造物等に邪魔されることなく容易に行わせる。【解決手段】フレーム２に横並びに配置される電線収納用の複数の筒体３と、複数の筒体の前端に配置される位置決めストッパ７と、位置決めストッパを下向きに回動自在にフレーム側に支持したヒンジ部１１と、位置決めストッパに固定して設けられた支持部材１０と、フレーム側に設けられ、支持部材に当接して筒体の前端位置に位置決めストッパを維持させ、当接を解除して位置決めストッパの下向きの回動を許容するストッパ部材１２と、を備えた電線供給棚１を採用する。【選択図】図１
2014225365.tif 000002
【特許請求の範囲】
【請求項１】
フレームに横並びに配置される電線収納用の複数の筒体と、該複数の筒体の前端に配置される位置決めストッパと、該位置決めストッパを下向きに回動自在に該フレーム側に支持したヒンジ部と、該位置決めストッパに固定して設けられた支持部材と、該フレーム側に設けられ、該支持部材に当接して該筒体の前端位置に該位置決めストッパを維持させ、該当接を解除して該位置決めストッパの下向きの回動を許容するストッパ部材と、を備えたことを特徴とする電線供給棚。
【請求項２】
前記複数の筒体に対する電線取出誘導用の発光ボタンが前記位置決めストッパに配置されたことを特徴とする請求項１記載の電線供給棚。
【請求項３】
前記複数の筒体を支持する第一の前後の受け部材と、該前後の受け部材の間で該前後の受け部材よりも下側の第二の前後の受け部材とが前記フレームに設けられ、該複数の一次ロットの筒体の上に二次ロットの各筒体が載置され、前記位置決めストッパを下向きに回動させた状態で、空になった該一次ロットの筒体を前方に引き出し、且つ後方に向けて該後側の第一及び第二の受け部材の間に押し込んで、該第二の前後の受け部材で支持し、該二次ロットの筒部を該第一の前後の受け部材で支持するようにしたことを特徴とする請求項１又は２記載の電線供給棚。
【請求項４】
前記複数の筒体の上方に電線収納用の上段の複数の筒体が横並びに配置され、該上段の複数の筒体の前端に接して上段の位置決めストッパが前記フレームに固定され、該上段の複数の筒体の上に次ロットの各筒体が載置され、次ロットの各筒体の前端に位置決めパイプが配置されて該フレーム側のヒンジ部で上向きに回動自在に支持されたことを特徴とする請求項１〜３の何れかに記載の電線供給棚。
【発明の詳細な説明】
【技術分野】
【０００１】
本発明は、複数の筒体内にそれぞれ種類の異なる電線を収納し、各筒体のうちから所要の電線を端子挿入工程等に順次供給するための電線供給棚に関するものである。
【背景技術】
【０００２】
従来、サブワイヤハーネス製造工程において、複数種の端子付き電線のなかから所要の端子付き電線を選択して、次工程のコネクタハウジングへの端子挿入作業工程に供給するために、種々の電線供給棚が提案されている。
【０００３】
例えば特許文献１には、四本の脚部を有するワゴン（フレーム）の上に複数本の筒状の電線収納部（筒体）を前下がりに傾斜させて左右方向に並列に配設し、各電線収納部に種類の異なる複数本の各端子付き電線を収納し、サブワゴンの上に複数の蓋部と蓋部開閉制御部とを左右方向に並列に配設し、サブワゴンをワゴンに合体させて、各蓋部で各電線収納部の前部開口を塞ぎ、自動的に開かれた蓋部から作業者が端子付き電線を引き出してその端子をコネクタハウジングに挿入し、各電線収納部が空になったら、ワゴンをサブワゴンから分離し、予め各端子付き電線を各電線収納部に収納した次のワゴンをサブワゴンに合体して作業を継続するようにした分離式電線供給棚が記載されている。
【０００４】
また、特許文献２には、パイプ状の部材を組み合わせた骨組構造の棚本体（フレーム）に上下二段に端子付き電線収納用の筒（筒体）を配設し、各筒の前部開口から端子付き電線を引き出し可能とし、各筒の前端に指示ランプを設け、下段の指示ランプの下方に確認スイッチを配設し、指示ランプの点灯した筒の前部開口から端子付き電線を引き出して、その端子をコネクタハウジングに挿入し、確認スイッチを押して、次の指示ランプを点灯させる用にした電線供給棚が記載されている。
【先行技術文献】
【特許文献】
【０００５】
【特許文献１】特開平８−８３５２２号公報（図１，図２）
【特許文献２】特開２００４−２２７８５０号公報（図１，図２）
【発明の概要】
【発明が解決しようとする課題】
【０００６】
しかしながら、上記従来の各電線供給棚にあっては、端子付き電線の補充のために、例えば空になる前の（端子付き電線が少し残った）筒体に端子付き電線を補充する場合には、残った端子付き電線を一度引き抜き、次の端子付き電線と一緒に筒体内に投入するというように、段取りロスを生じる面倒な作業を必要とし、しかも前ロットと後ロットの端子付き電線が混在して、端子付き電線の先入れ先出し化が難しくなるという懸念があった。
【０００７】
また、空になった筒体をフレームから後方に抜き取り、次いで端子付き電線挿入済みの新たな筒体を持ってきてフレームに差し入れて装着する場合には、端子付き電線の供給の停止から供給の再開までの間に多くの時間を要するという懸念があった。
【０００８】
そこで、これらの問題を解消するために、例えば、端子付き電線挿入済みの二本の筒体を上下に重ねて配置し、端子付き電線の取り出し位置に下の筒体の前部開口を配置し、下の筒体が空になったら、下の筒体を下方に移動させ、上の筒体を移動前の下の筒体の位置まで下降させて使用するといった手段を採用することが考えられる。
【０００９】
しかしその場合には、例えば下の筒体の前端側に配置される筒体位置決め用のストッパが邪魔になり、特にストッパに複数の指示ランプを並列に配設する場合には、指示ランプ一体の重いストッパを移動（退避）させるのに大きな力を必要として、筒体の入替（交換）作業が面倒になるという懸念があった。
【００１０】
また、筒体を上下二段ないし多段（三段ないしそれ以上）に離間させて配置する場合には、例えば下段の筒体の前端側の筒体位置決め用のストッパを上向きに移動させた際に、上段の筒体の前端側の筒体位置決め用のストッパに干渉してしまうという懸念や、それを避けるために上下段の筒体の間隔を大きく空けることで、電線供給棚が大型化してしまうといった懸念があった。
【００１１】
本発明は、上記した点に鑑み、電線収納用の筒体の入替に際して、筒体の前端側における筒体位置決め用ストッパの移動を小さな力で且つ上方の構造物等に邪魔されることなく、作業性良く容易に且つ楽に行うことができ、それに加えて、筒体の入替作業を効率良く行うことのできる電線供給棚を提供することを目的とする。
【課題を解決するための手段】
【００１２】
上記目的を達成するために、本発明の請求項１に係る電線供給棚は、フレームに横並びに配置される電線収納用の複数の筒体と、該複数の筒体の前端に配置される位置決めストッパと、該位置決めストッパを下向きに回動自在に該フレーム側に支持したヒンジ部と、該位置決めストッパに固定して設けられた支持部材と、該フレーム側に設けられ、該支持部材に当接して該筒体の前端位置に該位置決めストッパを維持させ、該当接を解除して該位置決めストッパの下向きの回動を許容するストッパ部材と、を備えたことを特徴とする。
【００１３】
上記構成により、ストッパ部材が支持杆に当接して支持杆と一体に位置決めストッパを規定の使用位置すなわち各筒体の前端に当接する位置に保持させ、その状態で筒体から電線が取り出されて次工程に供給される。筒体が空になった際に、ストッパ部材を支持杆から離脱させることで、支持杆とストッパ部材との当接が解除され、支持杆と一体に位置決めストッパがヒンジ部を支点に自重で下向きに回動する。位置決めストッパが空の筒体の前端から下方に離脱することで、空の筒体を前方に抜き出し可能となる。位置決めストッパを下向きに回動させることで、筒体の上方に配置された構造物等（上段の筒体や位置決めストッパを含む）との干渉が防止される。
【００１４】
例えば、空の筒体の抜き出し後に前方又は後方から電線収納済みの次の筒体を差し入れたり、あるいは空の筒体を前方に少し抜き出して、フレームによる支持を失わせて、後方に落とし込み、予め筒体の上に重ねて配置した電線収納済みの次の筒体を使用位置（フレーム上）に落として入れ替えることも可能である。
【００１５】
請求項２に係る電線供給棚は、請求項１記載の電線供給棚において、前記複数の筒体に対する電線取出誘導用の発光ボタンが前記位置決めストッパに配置されたことを特徴とする。
【００１６】
上記構成により、電線取出誘導用の発光ボタンやそのリード線を含んで重量化した位置決めストッパが、筒体の入替に際して下方に回動されることで、作業者の負担が軽減する。また、位置決めストッパの使用位置で、発光ボタンの点灯ないし点滅で指示された筒体から作業者が電線を取り出すことで、電線の取り出し（供給）作業が効率良く行われる。
【００１７】
請求項３に係る電線供給棚は、請求項１又は２記載の電線供給棚において、前記複数の筒体を支持する第一の前後の受け部材と、該前後の受け部材の間で該前後の受け部材よりも下側の第二の前後の受け部材とが前記フレームに設けられ、該複数の一次ロットの筒体の上に二次ロットの各筒体が載置され、前記位置決めストッパを下向きに回動させた状態で、空になった該一次ロットの筒体を前方に引き出し、且つ後方に向けて該後側の第一及び第二の受け部材の間に押し込んで、該第二の前後の受け部材で支持し、該二次ロットの筒部を該第一の前後の受け部材で支持するようにしたことを特徴とする。
【００１８】
上記構成により、筒体の入替に際して、空の筒体が前後の第一の受け部材で支持された状態から前方に引き出されて、空の筒体の後部が後側の第一の受け部材を通過した時点で後側の第一の受け部材の支持を失って下方に落ちて第二の後側の受け部材で支持され、さらに後側の第一及び第二の受け部材の間に後向きに押し込まれて、空の筒体の前部が前側の第一の受け部材を通過した時点で前側の第一の受け部材の支持を失って下方に落ちて前側の第二の受け部材で支持される。空の筒体に代わって電線収容済みの次ロットの筒体が前後の第一の受け部材で支持される。
【００１９】
請求項４に係る電線供給棚は、請求項１〜３の何れかに記載の電線供給棚において、前記複数の筒体の上方に電線収納用の上段の複数の筒体が横並びに配置され、該上段の複数の筒体の前端に接して上段の位置決めストッパが前記フレームに固定され、該上段の複数の筒体の上に次ロットの各筒体が載置され、次ロットの各筒体の前端に位置決めパイプが配置されて該フレーム側のヒンジ部で上向きに回動自在に支持されたことを特徴とする。
【００２０】
上記構成により、上段の筒体が空になった際に、上段の位置決めパイプが上向きに回動されて、上段の電線収納済みの次ロットの筒体の前端と上段の位置決めパイプとの当接が解除される。これにより、例えば、次ロットの筒体の前部を持ち上げ、空の筒体を斜め前方上向きに引き出し可能となる。
【発明の効果】
【００２１】
請求項１記載の発明によれば、電線収納用の筒体の入替に際して、筒体の前端側における位置決め用ストッパを自重を利用して小さな力で且つ上方の構造物等に邪魔されることなく下向きに回動させて、作業性良く容易に且つ楽に移動させることができる。
【００２２】
請求項２記載の発明によれば、筒体の入替に際して、電線取出誘導用の発光ボタンを含んで重量化した位置決めストッパを自重で下方に回動させることで、作業者の負担を軽減することができる。
【００２３】
請求項３記載の発明によれば、使用済みの筒体を下に落とし、新しい筒体を上から下向きに供給することで、筒体の前後（長手）方向の移動をなくして、筒体の入替作業を効率良く行うことができる。
【００２４】
請求項４記載の発明によれば、上段の筒体の入替に際して、上段の次ロットの筒体に対する位置決めパイプを上方に移動させることで、下段の筒体や位置決めストッパ等との干渉を防いで、且つ下段の位置決めストッパと上段の筒体や位置決めストッパとの干渉を防いで、電線供給棚を高さ方向にコンパクト化することができる。
【図面の簡単な説明】
【００２５】
【図１】本発明に係る電線供給棚の一実施形態を示す斜視図である。
【図２】同じく電線供給棚を側方から見て示す斜視図である。
【図３】電線供給棚の要部の作用を示す斜視図である。
【図４】同じく電線供給棚の作用をほぼ側方から見て示す斜視図である。
【図５】（ａ）〜（ｄ）は、電線供給棚における筒体の入替作業を操作順に示す側方視説明図である。
【発明を実施するための形態】
【００２６】
図１〜図５は、本発明に係る電線供給棚の一実施形態を示すものである。
【００２７】
図１，図２の如く、この電線供給棚１は、合成樹脂製の断面円形のパイプで組み立てられたフレーム２と、フレーム２に上下二段に前下がりに傾斜して且つ左右方向に並列に配置された端子付き電線収納用の複数本の筒体３，４と、上下二段の各筒体３，４の上面に重ねて配置される入替（交換）用の各筒体５，６と、上段の各筒体４の前端面４ａに当接して左右方向に延長配置された横長で水平な固定式の位置決めストッパ８と、下段の各筒体３の前端面３ａに当接して左右方向に延長配置された横長で水平な可動式の位置決めストッパ７とを備えている。
【００２８】
さらに、電線供給棚１は、各位置決めストッパ７，８に配置された電線取出誘導用のＬＥＤボタン（発光ボタン）９と、下段の位置決めストッパ７の左右両端において後向きに突設固定されたパイプ状の杆部１０と、下段のＬＥＤボタン９やそのリード線（図示せず）を含む位置決めストッパ７と共に左右の杆部１０を下向きに回動自在に支持するヒンジ部１１と、本例において左端の杆部（支持杆ないし支持部材）１０の回動すなわち図３，図４の下段のＬＥＤボタン９を含む位置決めストッパ７の自重による下向きの回動を阻止する（位置決めストッパ７の後端面７ａを下段の筒体３の前端面３ａに当接させた状態に維持する）パイプ状で回動式のストッパ杆（ストッパ部材）１２とを備えている。
【００２９】
ＬＥＤボタン９やそのリード線（図示せず）を含む重い下段の位置決めストッパ７を上向きにではなく自重で且つ下側の空きスペース１３を利用して下向きに回動させることで、位置決めストッパ７の移動作業を楽に容易に行うことができ、上段の位置決めストッパ８や筒体４との干渉をなくして、上段と下段の位置決めストッパ７，８や筒体３，４の間隔を狭めて電線供給棚１を上下方向にコンパクト化することができる。
【００３０】
図１，図２の如く、フレーム２は前後左右の四方に垂直な脚部（前側の脚部のみ図示する）１４を有し、例えば前後の脚部１４を連結する前後方向のパイプ１５や、パイプ１５に直交した後側の垂直なパイプ１６に、左右方向の複数の受けパイプ（受け部材）１７，１８が連結されている。受けパイプ１７，１８については図５で詳述する。
【００３１】
また、フレーム２には、上段と下段において隣接する左右各二本の筒体３，４を区分し案内する垂直な細いガイド棒１９が格子状に設けられている。ガイド棒１９はフレーム２の下部側まで延長されており、不要となった空の筒体３をフレーム２の下部側の空間に落として溜めた状態から前方又は後方（何れでも可）に引き出して排出可能となっている。
【００３２】
図１，図２の如く、上下段の各筒体３，４は前部の上半側を切欠して端子付き電線取り出し用の開口２０を有している。各筒体３，４ごとに異なる種類の端子付き電線２１が収容されている。上下段の各筒体３，４の前部の下半側の前端面３ａ，４ａが上下段の各位置決めストッパ７，８の後端面７ａ，８ａに当接し、各筒体３，４の前端面３ａ，４ａの高さは各位置決めストッパ７，８の高さと概ね同じに規定されている。
【００３３】
各位置決めストッパ７，８は、横長のパイプ２２に断面矩形状の金属製のカバー２３を固定したもので、金属製のカバー２３の上面に、各筒体３，４に対応した各ＬＥＤボタン９が設けられ、各ＬＥＤボタン９は不図示の電線（リード線）を介して不図示の制御部に接続されている。
【００３４】
作業者は、ＬＥＤボタン９の点灯した位置の筒体３，４の前部開口２０から端子付き電線２１を取り出して（引き出して）、電線供給棚１の前側の不図示の作業台の上の受け具で支持されたコネクタハウジングに端子付き電線２１の端子を挿入する。コネクタハウジングは例えば電線供給棚１のフレーム上に載置された不図示の矩形筒状のスティックの前部開口から取り出して受け具にセットする。
【００３５】
点灯したＬＥＤボタン９を押すことで、そのＬＥＤボタン９は消灯し、次に取り出すべき端子付き電線２１を収納した筒体３，４に対応するＬＥＤボタン９が点灯する。作業者は、端子付き電線２１の取り出し、ＬＥＤボタン９の押し操作、不図示のコネクタハウジングへの端子挿入の作業を繰り返して、サブワイヤハーネスを製造する。
【００３６】
図１，図２の如く、上下段の各筒体３，４の上面に、端子付き電線を装填した入替用の各筒体５，６が重ねて配置されている（各図では端子付き電線２１の図示を一部以外省略している）。入替用の各筒体５，６の前端面５ａ，６ａは、左右方向に延長された横長の水平な位置決めパイプ（位置決めストッパ）２４，２５の後端に当接している。
【００３７】
下段の各筒体３に対する位置決めストッパ７が下向きに移動（回動）可能であるのに対し、下段の入替用の各筒体５に対する位置決めパイプ２４は固定式となっている。また、上段の各筒体４に対する位置決めストッパ８が固定式であるのに対し、上段の入替用の各筒体６に対する位置決めパイプ２５は上向きに移動（回動）可能となっている。
【００３８】
そして、下段の筒体３の前部開口２０側の底壁を支持する横長の受けパイプ１７の左右端から後向きに水平な長いパイプ１５が連結固定され、長いパイプ１５はフレーム２の前脚パイプ１４に金属製のジョイント部２７で固定され、長いパイプ１５の長手方向中間部と下段の位置決めパイプ２４の左右端とが、前上がりに傾斜した短い固定パイプ（固定杆）２８で連結され、短い固定パイプ２８の中間部にさらに短い左右方向回動式のストッパ杆１２が直交して前下がりに連結して設けられている。
【００３９】
ストッパ杆１２は、パイプ部１２ａとパイプ部１２ａの基端側に設けられた略Ｔ字状の金属製のジョイント管２９とで構成され、ジョイント管２９は、パイプ部１２ａの外周面を覆って保持する部分２９ａと、前記短い固定パイプ２８の中間部において固定パイプ２８の周方向に回動（摺動）自在に連結された部分２９ｂとで構成されている。ストッパ杆１２が略下向きに位置した状態で、ストッパ杆１２の先端（下端）１２ｂが、下段の位置決めストッパ７と一体の支持杆１０の後端部の上面に当接して、位置決めストッパ７を定位置（下段の筒体３の前端面３ａに当接する位置）に保持させている。
【００４０】
短い固定パイプ２８の前端には斜め下向きの短いパイプ３０が直交して連結固定され、短いパイプ３０の下端は、下段の筒体３の前部開口２０側の底壁を受ける受けパイプ１７の端部のジョイント部３１に当接可能で、その状態でストッパ杆１２の下端の高さが規定され、且つ下側の水平なパイプ１５に対する固定パイプ２８の固定角度が規定されている。
【００４１】
下段の位置決めストッパ７の左右端に突出した水平なパイプ部２２（図１）にジョイント部３２（図２）で支持杆１０が連結固定され、支持杆１０の前端は位置決めストッパ７の前端に平行に沿う補強パイプ３３（図１）に直交して連結されている。支持杆１０の前端寄りに設けられたジョイント部３２が短い水平なヒンジ軸（ヒンジ部）１１で下側の平行な固定パイプ３４に連結され、固定パイプ３４は前後方向のパイプ３５（図２）を介してフレーム２の前脚パイプ１４に固定されている。
【００４２】
前脚パイプ１４の上側延長部１４’の後方に平行に垂直なパイプ１６が配置され、垂直なパイプ１６に直交して上下段用の左右方向の横長水平な受けパイプ１８（図１）が設けられている。上下の段ごとに、受けパイプ１８は、下段の筒体３の前部開口２０側の底壁を支持した受けパイプ１７（図１）よりも少し低く下方に位置している。上下の段ごとに、前側の二本の受けパイプ１７，１８と略前後対称に二本の後側の受けパイプ（図５で後述する）がフレーム２の後脚側に設けられている。これら受けパイプ７，８の作用は図５で後述する。
【００４３】
図１，図２の如く、上段の筒体４の上面に重ねられた入替用の筒体６の前端面６ａ（図２）は上段の位置決めパイプ２５の後端面に当接し、上段の位置決めパイプ２５の左右端は、前上がりに傾斜した可動パイプ（可動杆）３６の前端に金属製のジョイント部３７で連結され、可動パイプ３６の後端は垂直な前脚パイプ１４の上部側のジョイント部３８にヒンジ軸（ヒンジ部）３９で上向き且つ後向きに回動自在に連結されている。
【００４４】
可動パイプ３６の前端に直交して斜め下向きの短い操作用パイプ（操作杆）４０（図２）が連結され、操作用パイプ４０は、前脚パイプ１４に直交した水平な前向きの固定パイプ４１（図２）のジョイント部４２の上面に当接して停止している。固定パイプ４１の下側に平行な固定パイプ４３（図２）が前脚パイプ１４に連結固定され、固定パイプ４３の前側に固定パイプ４４（図２）を介して上段の位置決めストッパ８のパイプ２２がジョイント部４５（図２）で連結固定されている。
【００４５】
図３，図４の如く、作業者が一方の手（右手）４６で下段の位置決めストッパ７を支持した状態で、他方の手（左手）４７でストッパ杆１２を外向き（図３で左向き）に回動させることで、ストッパ杆１２と、位置決めストッパ７に一体に続く後向きの支持杆１０との当接が解除されて、位置決めストッパ７がＬＥＤボタン９やそのリード線と一体に支持杆１０のヒンジ部１１を支点に下向きに回動する。
【００４６】
それにより、下段の筒体３の前端面３ａと位置決めストッパ７の金属カバー２３の後端面７ａとの当接が解除されて、下段の筒体３が前向きに自由に移動（引き出し）可能となる。支持杆１０は後上がりに傾斜し、支持杆１０の回動先端１０ａは、上段の入替用の筒体５の前端面に当接した位置決めパイプ２４と略同程度の高さに位置する。
【００４７】
その状態で、図５（ａ）の如く、空になった（端子付き電線２１を使い終わった）下段の筒体３を矢印Ａの如く前方に引き出し可能となる。下段の筒体３はその底壁３ｂを前側の横長水平の受けパイプ１７と後側の横長水平の受けパイプ（受け部材）４８とで支持され、後側の受けパイプ４８は前側の受けパイプ１７よりも少し高く配置されて、下段の筒体３を前下がりに傾斜して支持している。
【００４８】
前側の受けパイプ１７の少し後方に且つ前側の受けパイプ１７よりも少し低い位置に空の下段のパイプ３を正規の使用位置から下げて配置するための横長水平の第二の前側の受けパイプ１８が配置されている。また、後側の受けパイプ４８の少し前側で且つ下側に、同じく横長水平の第二の後側の受けパイプ（受け部材）４９が配置され、第二の後側の受けパイプ４９は第二の前側の受けパイプ１８よりも少し高く配置されている。
【００４９】
図５（ａ）において、下段の空の筒体３の上面には電線付き端子を装填済みの次ロットの筒体５が予め載置されている（次ロットの筒体５の前端５ａは空の筒体３の前端３ａよりも少し後方において図４の下段の位置決めパイプ２４に当接している）。
【００５０】
作業者は、図５（ａ）の如く、一方の手で空の筒体３を矢印Ａの如く前方に引き出す。引き出し操作の途中で、図５（ｂ）の如く、空の筒体３の底壁後部３ｂ’が後側の受けパイプ４８よりも前方に位置することで、後側の受けパイプ４８の支持を失って後側且つ下側の第二の受けパイプ４９まで落ち込んで第二の受けパイプ４９で支持される。それと同時に、次ロットの筒体５の底壁後部５ｂ’が空の筒体３による支持を失って落ち込んで後側且つ上側の第一の受けパイプ４８で支持される。
【００５１】
次いで図５（ｂ）において、上側の次ロットの筒体５の前部を他方の手で矢印Ｂの如く上に持ち上げる。その状態で一方の手で矢印Ｃの如く空の筒体３を後方に押し込む。空の筒体３の後端部３ｂ’は後側の第一の受けパイプ４８とその斜め前方下側の第二の受けパイプ４９との間を通って後方に押し込まれる。押し込み操作において空の筒体３の前端３ａが前側の第一の受けパイプ１７よりも後方に通過した時点で、図５（ｃ）の如く、他方の手で持ち上げていた次ロットの筒体５の前部を矢印Ｄの如く下降させ、同時に空の筒体３の前部を次ロットの筒体５の前部と平行に下降させる。
【００５２】
これにより、図５（ｃ）において、空の筒体３の前部が下側且つ前側の第二の受けパイプ１８で支持され、空の筒体３の中間寄りの後部が下側且つ後側の第二の受けパイプ４９で支持される。上側の次ロットの筒体５の前部（前端寄りの部分）は上側且つ前側の第一の受けパイプ１７で支持され、次ロットの筒体５の後部は上側且つ後側の第一の受けパイプ４８で支持される。
【００５３】
そして、図５（ｄ）の如く、上側の次ロットの筒体５の前部を矢印Ｅの如く定位置まで引き出す。すなわち、横並びに隣接した他の筒体５の前端（定位置）５ａと同一面に次ロットの筒体５の前端５ａを目視で合わせる（筒体３，５の入替作業は一本ずつ行う）。最後に、図４の下降（下向きに回動）した下段の位置決めストッパ７を一方の手４６（図３）で持ち上げて（図４で後上がりに傾斜した支持杆１０は水平に戻る）、その状態でストッパ杆１２を他方の手４７（図３）で内向き（右向き）に回動させて、図１，図２の如くストッパ杆１２の先端（下端）１２ｂで支持杆１０の上面を押さえて、位置決めストッパ７の下向きの回動を阻止する。
【００５４】
なお、図５（ｄ）の次ロットの筒体５の前部５ａを定位置まで引き出す操作は、図４の位置決めストッパ７を上向きに回動復帰させた後に行うことも可能である。また、図５（ａ）の空の筒体５の矢印Ａ方向の引き出し操作は、図５（ｂ）の次ロットの筒体５の矢印Ｂ方向の持ち上げ操作と同時ないしほぼ同時に行うことも可能である。また、図５（ｂ）の次ロットの筒体５の持ち上げ操作は、図５（ａ）（ｂ）の空の筒体３の斜め上向き前方への引き出し操作によって行うことも可能である。
【００５５】
図５（ｄ）の上側の次ロット（二次ロット）の筒体５の上面にはさらに次のロット（不図示の三次ロット）の筒体が前方又は後方から挿入して重ねられ、それと同時に例えば、下側（一次ロット）の空の筒体３を前方又は後方に引き出して、フレーム２（図１）の下側の空筒収容空間に溜めておくことが可能である。下側（一次ロット）の空の筒体３を図５（ａ）〜（ｃ）の要領で前進後退させて、フレーム２の下側の空筒収容空間に落とし込むことも可能である。
【００５６】
図５（ａ）〜（ｄ）においては電線供給棚１の下段の筒体３の入替について説明したが、上段の筒体４の入替についても図５（ｂ）〜（ｄ）に図示した操作でほぼ同様に行わせることができる。但し、上段の筒体４の下側には下段の次ロットの筒体５が配置されるので、上段の筒体４と下段の次ロットの筒体５との間隔（空間）は、上段の空の筒体４を横一列に収容可能な高さとする。
【００５７】
すなわち、図１，図２において、上段の筒体４が空になった際に、上段の操作杆４０（図２）を上向き且つ後向きに回動させて、操作杆４０と一体の回動杆３６及び位置決めパイプ２５を基端側のヒンジ軸３９（図２）を支点に一体に上向き且つ後向きに回動させ、上段の次ロットの筒体６の前端から位置決めパイプ２５を上方に回避させる。
【００５８】
その状態で、図５（ｂ）と同様に、次ロットの筒体６の前部を矢印Ｂ方向に持ち上げ、空の筒体４を前方且つ略水平に矢印Ａ方向に引き出し、空の筒体４の後部を後側の第一の受けパイプ４８から落として後側の第二の受けパイプ４９で支持させ、空の筒体４を矢印Ｃの如く後方に押し込み、次いで図５（ｃ）の如く、次ロットの筒体６を矢印Ｄ方向に下ろして、図５（ｄ）の如く次ロットの筒体６の前端６ａを定位置に位置させ、図１，図２の如く操作杆４０を前方に回動させて、位置決めパイプ２５を下向きに回動復帰させる。位置決めパイプ２５は軽量であるので上向き及び下向きの回動操作は容易に行うことができる。
【００５９】
なお、図５（ａ）〜（ｄ）に示す構成は、電線供給棚１として以外に、電線供給棚１を用いた電線供給方法や、電線収納用筒体３〜６の供給方法等としても有効である。また、筒体３〜６内に端子付き電線２１以外に端子なし電線（電線の端末は後付け端子等のために皮剥きしておく）を収容することも可能である。また、支持部材やストッパ部材として、パイプ状の支持杆１０やストッパ杆１２に代えて、例えば支持板やストッパ板を設けることも可能である。
【００６０】
また、上記実施形態においては、上下二段に筒体３，４を配置した例で説明したが、例えば上段の筒体４や位置決めストッパ７や位置決めパイプ２５等を排除し、下段の筒体３や位置決めストッパ７や支持杆１０及びストッパ杆１２等で一段のみの電線供給棚を構成することも可能である。この場合においても、位置決めストッパ７を下方に回動させて、電線供給棚の上方に配置された不図示の構造物等との干渉を防ぐことができる。
【産業上の利用可能性】
【００６１】
本発明に係る電線供給棚は、電線収納用の筒体の入替に際して、筒体の前端側における筒体位置決め用ストッパの移動を小さな力で且つ上方の構造物等に邪魔されることなく、作業性良く容易に且つ楽に行い、それに加えて筒体の入替作業を効率良く行うために利用することができる。
【符号の説明】
【００６２】
１          電線供給棚
２          フレーム
３          筒体
４          上段の筒体
５，６      次ロットの筒体
７          位置決めストッパ
８          上段の位置決めストッパ
９          発光ボタン
１０        支持杆（支持部材）
１１        ヒンジ部
１２        ストッパ杆（ストッパ部材）
１７，４８  第一の受け杆（受け部材）
１８，４９  第二の受け杆（受け部材）
２５        位置決めパイプ
３９        ヒンジ部
【図１】
2014225365.tif 000003
【図２】
2014225365.tif 000004
【図３】
2014225365.tif 000005
【図４】
2014225365.tif 000006
【図５】
2014225365.tif 000007